【手続補正書】
【提出日】平成25年7月25日(2013.7.25)
【手続補正１】
【補正対象書類名】特許請求の範囲
【補正対象項目名】全文
【補正方法】変更
【補正の内容】
【特許請求の範囲】
【請求項１】
放射線の方向性を特定する方法であって、
チャンバ内で張力準安定流体の容積を作成することと、
放射線源の近くに前記張力準安定流体の容積を配置することと、
前記張力準安定流体内の放射線誘発キャビテーションの場所を検出することと、
前記張力準安定流体内の前記放射線誘発キャビテーションに基づいて、前記放射線源の方向性を特定することと、
を含み、
前記放射線誘発キャビテーションの場所を検出するステップが、前記チャンバ上に載置された複数の信号検出トランスデューサから得られる信号を処理することによって、キャビテーション誘発衝撃信号の到達の時間遅延を検出することを含む、方法。
【請求項２】
前記張力準安定流体の容積は、少なくとも１つの対称軸を含有する形状を有する、請求項１に記載の放射線の方向性を特定する方法。
【請求項３】
前記張力準安定流体は、音響張力準安定流体である、請求項１に記載の放射線の方向性を特定する方法。
【請求項４】
前記放射線誘発キャビテーションの場所を検出する前記ステップは、前記チャンバ上に載置された複数の信号検出トランスデューサから得られる信号を処理することによって、キャビテーション誘発衝撃信号を検出することを含み、前記処理は、バイアスを最小化するステップをさらに含む、請求項１に記載の放射線の方向性を特定する方法。
【請求項５】
前記放射線誘発キャビテーションの場所を検出する前記ステップは、前記チャンバ上に載置された複数の信号検出トランスデューサから得られる信号を処理することによって、キャビテーション誘発衝撃信号を検出することを含み、前記処理は、閾値電圧レベルを上回る前記信号検出トランスデューサからの信号を検出する前記ステップを含む、バイアスを最小化するステップをさらに含み、前記閾値電圧レベルは、全てのトランスデューサの漸近応答比較から特定することができる、請求項１に記載の放射線の方向性を特定する方法。
【請求項６】
前記放射線誘発キャビテーションの場所を検出する前記ステップは、双曲線測位方法によってキャビテーションの場所を検出する方法を含む、請求項１に記載の放射線の方向性を特定する方法。
【請求項７】
前記放射線の場所を検出する前記ステップは、前記チャンバの少なくとも２つの区域の中で生じるキャビテーションの比率を特定することを伴う、請求項１に記載の放射線の方向性を特定する方法。
【請求項８】
前記チャンバが中心線垂直軸を有し、前記方法は、中心線垂直軸の少なくとも一部分を含む空間の容積の中のイベントカウントを含まずに、前記チャンバの対向するセクターの中のキャビテーションイベントを比較することをさらに含む、請求項１に記載の放射線の方向性を特定する方法。
【請求項９】
前記方法は、キャビテーション気泡の伸長を増幅して、到来放射線から液体分子へのエネルギー伝達の方向と一致するように、圧力差を使用することをさらに含む、請求項１に記載の放射線の方向性を特定する方法。
【請求項１０】
前記方法は、前記キャビテーション気泡の核形成イベントの形状を監視することをさらに含む、請求項１に記載の放射線の方向性を特定する方法。
【請求項１１】
前記放射線源の前記方向を特定する前記ステップは、前記放射線によって誘発されるキャビテーション気泡の細長い形状の主軸を特定するステップをさらに含む、請求項１に記載の放射線の方向性を特定する方法。
【請求項１２】
前記方法は、細長いキャビテーション誘発気泡の前記主軸からの到来放射線の方向を視覚的に特定することをさらに含む、請求項１に記載の放射線の方向性を特定する方法。
【請求項１３】
入射放射線の方向性を特定するためのデバイスであって、
流体を保持するチャンバと、
少なくとも１つの駆動トランスデューサを備え、前記少なくとも１つの駆動トランスデューサの共振周波数が前記チャンバの共振周波数と実質的に同様である、前記チャンバを変形させるための機構と通信する制御システムであって、前記制御システム及び前記チャンバを変形させるための機構が、前記流体内に、前記流体分子が入射核粒子によって衝突された時に気泡の核形成を可能にするのに十分である、張力準安定状態を誘発して維持するようにともに動作する、制御システムと、
前記流体容積内の気泡キャビテーションイベントの場所を特定するためのシステムと電子通信する、前記チャンバ内で離間される複数の信号検出トランスデューサと、
を備える、デバイス。
【請求項１４】
前記チャンバは、密封される、請求項１３に記載の入射放射線の方向性を特定するためのデバイス。
【請求項１５】
前記チャンバ内の前記流体は、アセトン、フレオン、ベンゼン、イソペンタン、トリメチルホウ酸塩、およびそれらの混合物から成る流体の群より選択される、請求項１３に記載の入射放射線の方向性を特定するためのデバイス。
【請求項１６】
前記チャンバを変形させるための前記機構は、圧電材料を含む少なくとも１つのトランスデューサをさらに備える、請求項１３に記載の入射放射線の方向性を特定するためのデバイス。
【請求項１７】
前記チャンバを変形させるための前記機構は、ジルコン酸チタン酸鉛を含む圧電材料を含む、少なくとも１つのトランスデューサをさらに備える、請求項１３に記載の入射放射線の方向性を特定するためのデバイス。
【請求項１８】
前記チャンバを変形させるための前記機構は、セラミックを含む圧電材料を含む、少なくとも１つのトランスデューサをさらに備える、請求項１３に記載の入射放射線の方向性を特定するためのデバイス。
【請求項１９】
前記チャンバを変形させるための前記機構は、チタン酸バリウムを含む圧電材料を含む、少なくとも１つのトランスデューサをさらに備える、請求項１３に記載の入射放射線の方向性を特定するためのデバイス。
【請求項２０】
前記チャンバを変形させるための前記機構は、前記チャンバに載置される少なくとも１つのトランスデューサを含み、よって、前記トランスデューサが、中間面の周囲で、または所望の振動する圧縮付きの張力圧力場に対応する面の中で前記チャンバの辺縁を囲繞する、請求項１３に記載の入射放射線の方向性を特定するためのデバイス。
【請求項２１】
前記チャンバを変形させるための前記機構は、所望の振動する圧縮付きの張力圧力場に対応する面の中の別々の場所で、前記チャンバに載置される複数のトランスデューサを含む、請求項１３に記載の入射放射線の方向性のためのデバイス。
【請求項２２】
少なくとも１つの駆動トランスデューサが、前記流体分子が入射核粒子によって衝突された時に前記気泡の核形成を可能にするのに十分である共振および張力準安定状態を確立するように、正および負の圧力変動を流体内に導入することが可能である、前記チャンバ壁に載置される少なくとも１つの電動圧電素子である、請求項１３に記載の入射放射線の方向性を特定するためのデバイス。
【請求項２３】
少なくとも４つの信号検出トランスデューサさらに備える、請求項１３に記載の入射放射線の方向性を特定するためのデバイス。
【請求項２４】
同じ面の中の少なくとも３つの信号検出トランスデューサと、前記面の外側にある少なくとも１つの信号検出トランスデューサとをさらに備える、請求項１３に記載の入射放射線の方向性を特定するためのデバイス。
【請求項２５】
前記流体容積内の前記気泡の場所を特定するための前記システムは、ベースライン駆動周波数信号を除去する高域通過フィルタ回路を備える、信号処理システムを含む、請求項１３に記載の入射放射線の方向性を特定するためのデバイス。
【請求項２６】
前記流体容積内の前記気泡の場所を特定するための前記システムは、測位アルゴリズムを採用する信号検出トランスデューサにおいて気泡信号の到達時間遅延を特定して、前記チャンバ内で気泡が内破した位置を特定するように、前記信号検出トランスデューサからのフィルタされた信号を比較する、信号処理システムを含む、請求項１３に記載の入射放射線の方向性を特定するためのデバイス。
【請求項２７】
前記流体内の気泡の場所を特定するための前記システムは、前記チャンバの中の気泡キャビテーションの数および場所を特定する、信号処理システムを含む、請求項１３に記載の入射放射線の方向性を特定するためのデバイス。
【請求項２８】
前記チャンバは、前記チャンバの種々の区域の中のキャビテーションイベントの下方散乱支援集積を許容する放射線の方向性検出を可能にする、サイズおよび形状を有する、請求項１３に記載の入射放射線の方向性を特定するためのデバイス。
【請求項２９】
入射放射線の方向性を特定するためのデバイスであって、
流体を保持するチャンバと、
前記流体内に張力準安定状態を誘発して維持するようにともに動作する、前記チャンバを変形させるための機構と通信する制御システムであって、前記張力準安定状態が、前記流体分子が入射核粒子によって衝突された時に気泡の核形成を可能にするのに十分である、制御システムと、
前記流体内の気泡キャビテーションの数及び場所を特定する信号処理システムを備える、前記流体容積内の気泡キャビテーションイベントの場所を特定するためのシステムと電子通信する、前記チャンバ内で離間される複数の信号検出トランスデューサと、
を備える、デバイス。
【請求項３０】
前記チャンバは、密封される、請求項２９に記載の入射放射線の方向性を特定するためのデバイス。
【請求項３１】
前記チャンバ内の前記流体は、アセトン、フレオン、ベンゼン、イソペンタン、トリメチルホウ酸塩、およびそれらの混合物から成る流体の群より選択される、請求項２９に記載の入射放射線の方向性を特定するためのデバイス。
【請求項３２】
前記チャンバを変形させるための前記機構は、圧電材料を含む少なくとも１つのトランスデューサをさらに備える、請求項２９に記載の入射放射線の方向性を特定するためのデバイス。
【請求項３３】
前記チャンバを変形させるための前記機構は、ジルコン酸チタン酸鉛を含む圧電材料を含む、少なくとも１つのトランスデューサをさらに備える、請求項２９に記載の入射放射線の方向性を特定するためのデバイス。
【請求項３４】
前記チャンバを変形させるための前記機構は、セラミックを含む圧電材料を含む、少なくとも１つのトランスデューサをさらに備える、請求項２９に記載の入射放射線の方向性を特定するためのデバイス。
【請求項３５】
前記チャンバを変形させるための前記機構は、チタン酸バリウムを含む圧電材料を含む、少なくとも１つのトランスデューサをさらに備える、請求項２９に記載の入射放射線の方向性を特定するためのデバイス。
【請求項３６】
前記チャンバを変形させるための前記機構は、前記チャンバに載置される少なくとも１つのトランスデューサを含み、よって、前記トランスデューサが、中間面の周囲で、または所望の振動する圧縮付きの張力圧力場に対応する面の中で前記チャンバの辺縁を囲繞する、請求項２９に記載の入射放射線の方向性を特定するためのデバイス。
【請求項３７】
前記チャンバを変形させるための前記機構は、所望の振動する圧縮付きの張力圧力場に対応する面の中の別々の場所で、前記チャンバに載置される複数のトランスデューサを含む、請求項２９に記載の入射放射線の方向性を特定するためのデバイス。
【請求項３８】
前記チャンバを変形させるための前記機構は、前記流体分子が入射核粒子によって衝突された時に気泡の核形成を可能にするのに十分である共振および張力準安定状態を確立するように、正および負の圧力変動を流体内に導入することが可能である、前記チャンバに載置される少なくとも１つの電動圧電素子を備える、請求項２９に記載の入射放射線の方向性を特定するためのデバイス。
【請求項３９】
少なくとも４つの信号検出トランスデューサさらに備える、請求項２９に記載の入射放射線の方向性を特定するためのデバイス。
【請求項４０】
面の中の少なくとも３つの信号検出トランスデューサと、前記面の外側にある少なくとも１つの信号検出トランスデューサとをさらに備える、請求項２９に記載の入射放射線の方向性を特定するためのデバイス。
【請求項４１】
前記流体容積内の前記気泡の場所を特定するための前記システムは、ベースライン駆動周波数信号を除去する高域通過フィルタ回路を備える、信号処理システムを含む、請求項２９に記載の入射放射線の方向性を特定するためのデバイス。
【請求項４２】
前記流体容積内の前記気泡の場所を特定するための前記システムは、測位アルゴリズムを採用する信号検出トランスデューサにおいて気泡信号の到達時間遅延を特定して、前記チャンバ内で気泡が内破した位置を特定するように、前記信号検出トランスデューサからのフィルタされた信号を比較する、信号処理システムを含む、請求項２９に記載の入射放射線の方向性を特定するためのデバイス。
【請求項４３】
前記チャンバは、前記チャンバの種々の区域の中のキャビテーションイベントの下方散乱支援集積を許容する放射線の方向性検出を可能にする、サイズおよび形状を有する、請求項２９に記載の入射放射線の方向性を特定するためのデバイス。